(57)【特許請求の範囲】
【請求項１】
中央部付近に花茎挿入口を設けた支持板と支持板の対向する二辺から脚板を折曲形成した段ボール板から成る花立てスタンドを形成し、該花立てスタンドの支持板に柔軟性を有する給水袋を取り付けて該柔軟性給水袋の袋口と上記花茎挿入口とを連通せしめ、上記花立てスタンドを花梱包箱内の後端に組み込み、該花立てスタンドの上記脚板端部を花梱包箱の後側板で支持しつつ上記支持板を同後側板と対向せしめ、上記柔軟性給水袋を支持板と上記後側板間に画成された室内に収容し、切り花の花茎の基端を上記花茎挿入口と柔軟性給水袋の袋口を通して柔軟性給水袋内に挿入し柔軟性給水袋内の水分を切り花に吸水せしめる構成としたことを特徴とする花梱包箱における給水構造。
【発明の詳細な説明】
【技術分野】
【０００１】
本発明は花梱包箱における切り花の給水構造に関する。
【背景技術】
【０００２】
切り花は全体が段ボール製の細長い花梱包箱内に収容して輸送に供されており、この既存の花梱包箱を使用しつつ、輸送中の水枯れを防止する手段としては、例えば花茎の基端に給水カプセルを取り付ける方法等が採られている。
【０００３】
又特許文献１では、給水材を保有する皿状容器を花梱包箱内の一端に組み込むと共に、該皿状容器を覆う花茎保持板を同梱包箱の側板に係止し、花茎保持板を通して皿状容器内に花茎基端を挿入し、上記切り花への給水を行う方法を提供している
【特許文献１】特開平７−２９１３６３号公報
【発明の開示】
【発明が解決しようとする課題】
【０００４】
然るに給水カプセルは既存の花梱包箱に改造を加えることなく使用できる利点を有するが、花茎の１本１本に給水カプセルを取り付ける繁雑な作業を要するばかりか、コストアップを招き、総じて安価な切り花の大量輸送には適していない。
【０００５】
又特許文献１では花梱包箱自身に対する改造を伴い、又皿状容器を使用する方法では、同様にコスト高を招来し、実情にそぐわない。
【課題を解決するための手段】
【０００６】
本発明は上記課題を解決する手段として、中央部付近に花茎挿入口を設けた支持板と、該支持板の対向する二辺から脚板を折曲形成した段ボール板から成る花立てスタンドを形成し、該花立てスタンドの支持板に柔軟性を有する給水袋を取り付けて該柔軟性給水袋の袋口と上記花茎挿入口とを連通せしめたものを形成する。
【０００７】
そして上記花立てスタンドを花梱包箱内の後端に組み込み、該花立てスタンドの上記脚板端部を花梱包箱の後側板で支持しつつ上記支持板を同後側板と対向せしめ、上記柔軟性給水袋を支持板と上記後側板間に画成された室内に収容し、切り花の花茎の基端を上記花茎挿入口と柔軟性給水袋の袋口を通して柔軟性給水袋内に挿入し柔軟性給水袋内の水分を切り花に吸水せしめる構成とした花梱包箱における給水構造を提供するものである。
【発明の効果】
【０００８】
本発明によれば、既存の花梱包箱に何らの改造を加えることなく、上記柔軟性給水袋を取り付けた花立てスタンドを花梱包箱内の後端に組み込むのみで、給水構造を容易に形成できる。
【０００９】
又花立てスタンドは段ボール板をコ字形に折曲形成し、既存のビニール袋等を応用した給水袋を花立てスタンドの支持板に取り付けて形成でき、極めて安価に形成できる。
【００１０】
又柔軟性を有する給水袋によって花立てスタンドを偏平にして積み上げ、備蓄運搬に供することができ、嵩張らない利点がある。
【００１１】
又柔軟性を有する給水袋は花梱包箱を横倒した場合にも、内部に保有する水の重力により自在に変形し、保水状態を保つことができる。
【発明を実施するための最良の形態】
【００１２】
以下本発明を実施するための最良の形態を図１乃至図８に基づいて説明する。図５等に示すように、現在使用されている花梱包箱は段ボール板を打ち抜きし折曲形成した折り箱から成り、細長箱体１に蓋フラップ２を設けた構造を有する。
【００１３】
細長箱体１は細長底側板３の長手方向の二辺から折曲形成した細長左右側板４，５と、短手方向の二辺から折曲形成した前後側板６，７とを有し、細長左右側板４，５の一方の開口縁から折曲形成した細長蓋フラップ２を有する。
【００１４】
他方図１乃至図４に示すように、中央部付近に花茎挿入口８を設けた支持板９と、該支持板９の対向する二辺から脚板１０，１１を折曲形成した段ボール板から成る花立てスタンド１２を形成する。
【００１５】
上記花立てスタンド１２の支持板９に柔軟性を有する給水袋１３を取り付けて該柔軟性給水袋１３の袋口１４と上記花茎挿入口８とを連通せしめる。
【００１６】
換言すると、支持板９の花茎挿入口８の周縁部に柔軟性給水袋１３の袋口１４の周縁部を接着する等して支持板９に（花立てスタンド１２に）取り付け、花茎挿入口８と袋口１４との連通状態を形成し、該連通状態を保持する。
【００１７】
上記給水袋１３は既知のプラスチックフィルム製袋に代表される柔軟性を有する袋である。
【００１８】
上記花立てスタンド１２を花梱包箱１５内の後端に組み込み、該花立てスタンド１２の上記脚板１０，１１の端部を花梱包箱１５の後側板７で支持して上記支持板９を同後側板７と対向せしめ、上記柔軟性給水袋１３を支持板９と上記後側板７間に画成された室１６内に収容し、切り花の花茎１７の基端を上記花茎挿入口８と柔軟性給水袋１３の袋口１４を通して柔軟性給水袋１３内に挿入し柔軟性給水袋１３内の水分を切り花に吸水せしめる。
【００１９】
上記基本構造を採りつつ、上記支持板９の対向する二辺、即ち花梱包箱１５の上記左右側板４，５と対向する二辺に間隔を置いて耳板１８，１９を支持板９と同一平面に突設する。上記耳板１８，１９は箱体１と一体に段ボール板にて打ち抜き形成する。
【００２０】
上記花立てスタンド１２を花梱包箱１５内の後端に組み込むに当たり、上記耳板１８，１９の端部を左右側板４，５の内面に当接すると共に、上記脚板１０，１１の端部を後側板７の内面に当接し、花立てスタンド１２の位置を設定すると共に、支持板９と後側板７によって画成される室１６の大きさを設定する。
【００２１】
上記耳板１８，１９の基部には折曲用ミシン目２０を形成して、該耳板１８，１９を支持板９に対し直角方向に折り曲げ、該耳板１８，１９を花梱包箱１５の左右側板４，５の内面に添接することができる。
【００２２】
即ち図６、図７に示すように、容量の大きな（短手方向の幅が大きい）花梱包箱に対しては、上記耳板１８，１９の端部を左右側板４，５に当接し、花立てスタンド１２を支持する。この場合、上記脚板１０，１１は左右側板４，５に対し離間して後側板７に支持される。
【００２３】
他方図８に示すように、容量の小さな（短手方向の幅が小さい）花梱包箱に対しては、上記耳板１８，１９を後側板７方向又は前側板６方向に折曲して左右側板４，５に添わせる。この場合、上記脚板１０，１１は左右側板４，５に沿接して上記後側板７に支持される。
【００２４】
上記脚板１０，１１間には補強板２１を組み付け、両脚板１０，１１を補強し、起立状態を保つことができる。
【００２５】
例えば、脚板１０，１１の一側縁、即ち蓋フラップ２と対向する一側縁又は底側板３と対向する一側縁に切り溝２２を設け、他方補強板２１の両端に、これに対応する切り溝２３を設け、両切り溝２２，２３を相嵌めして両脚板１０，１１間に補強板２１を架橋状態に組み付ける。
【００２６】
又上記花茎挿入口８は図示のような円形穴の他、楕円穴、角穴とすることができる。又は上記花茎挿入口８を細長い溝型の穴とすることができる。
【００２７】
又上記花茎挿入口８の周縁部には複数の切り込み２４を設けて、花茎挿入口８の拡径を可能な構造にし、束にした切り花を花茎挿入口８の周縁部を切り込み２４の幅に応じ内方へ折り曲げながら挿入できるようにする。よって切り花の束の大きさに対応できるようにすると共に、同束を上記折り曲げた周縁部にて弾力的に捕捉する。
【００２８】
上記柔軟性給水袋１３には水２５を保有せしめるか、又は水を保有する給水材（保水材）を内設する。上記花梱包箱１５は図５、図６に示すように、後側板７を支持して立設して輸送するか、又は図７に示すように、花梱包箱１５の左右側板４，５の一方を支持して横倒し、輸送に供する。
【００２９】
上記花梱包箱１５を立設して輸送乃至備蓄する場合、水２５を入れた柔軟性給水袋１３は後側板７に荷受けされ、後側板７と水平に液面を保ち、該液面を有する水内に花茎１７の基端を挿入した状態に置かれる。
【００３０】
又図８に示すように、上記柔軟性給水袋１３は花梱包箱１５を横倒し輸送乃至備蓄する場合にも、その柔軟性により水２５の重力で自在に変形し、水２５を確実に保有する。
【００３１】
即ち柔軟性給水袋１３は後側板７と左右側板４，５の一方と後側板７に支持され、更に支持板９の花茎挿入口８を画成する周縁板部にもたれかかり、少なくとも花茎挿入口８の直下付近に液面を保持し、花茎１７の基端を該水２５内に挿入した状態に置くことができる。この場合、花茎束の基部を新聞等の枕２６にて支持し嵩上げし、上記柔軟性給水袋１３内に挿入すると良い。
【００３２】
又は花梱包箱１５を横倒して使用する場合、上記柔軟性給水袋１３の内面に保水材を添着又は収容し、花茎１７の端面を該保水材に押し付ける構成とすることができる。
【図面の簡単な説明】
【００３３】
【図１】柔軟性給水袋を取り付けた花立てスタンドの平面図。
【図２】上記花立てスタンドの正面図。
【図３】上記花立てスタンドの側面図。
【図４】上記花立てスタンドの断面図。
【図５】上記花立てスタンドを花梱包箱内に組み込み、切り花を収容した状態を起立状態を以って示す斜視図。
【図６】図５における花梱包箱の縦断面図。
【図７】上記花梱包箱を横倒して使用した状態を示す断面図。
【図８】小形の花梱包箱に花立てスタンドを組み込んだ状態を使用状態を以って示す断面図。
【符号の説明】
【００３４】
１…細長箱体、２…蓋フラップ、３…底側板、４…左側板、５…右側板、６…前側板、７…後側板、８…花茎挿入口、９…支持板、１０，１１…脚板、１２…花立てスタンド、１３…柔軟性給水袋、１４…袋口、１５…花梱包箱、１６…室、１７…花茎、１８，１９…耳板、２０…折曲用ミシン目、２１…補強板、２２，２３…切り溝、２４…切り込み、２５…水、２６…枕
【要約】
【課題】本発明は輸送用花梱包箱内に収容した花束の水枯れを有効に防止する、既存の花梱包箱に簡便に適応できる花梱包箱における給水構造を提供する。
【解決手段】花茎挿入口８を設けた支持板９の対向する二辺から脚板１０，１１を折曲形成して花立てスタンド１２を形成し、該花立てスタンド１２の支持板９に柔軟性給水袋１３をその袋口１４と上記花茎挿入口８とが連通するように取り付け、花立てスタンド１２を花梱包箱１５内の後端に組み込んで上記脚板１０，１１端部を花梱包箱１５の後側板７で支持し、上記給水袋１３を支持板９と上記後側板７間に画成された室１６内に収容し、切り花の花茎１７の基端を上記花茎挿入口８と給水袋１３の袋口１４を通して給水袋１３内に挿入し給水袋１３内の水分を切り花に吸水せしめる構成とした花梱包箱における給水構造。
【選択図】        図５
【図１】
0003646807.tif 000002
【図２】
0003646807.tif 000003
【図３】
0003646807.tif 000004
【図４】
0003646807.tif 000005
【図５】
0003646807.tif 000006
【図６】
0003646807.tif 000007
【図７】
0003646807.tif 000008
【図８】
0003646807.tif 000009